(57)【要約】      （修正有）【課題】従来からの展示方式を踏襲しつつ展示物に対する汎用性を持たせ、かつ展示スペースの小型化を図ることのできる展示用什器を提供する。【解決手段】壁面、あるいは棚面から突出する吊り下げ具に係合可能な吊掛け部１６と、少なくとも、エアコン噴出し部取り付け用製品を配置する第１配置部１２と、カップホルダー配置用製品を配置する第２配置部１４と、を備え、第１配置部１２と第２配置部１４とは、上下方向に配置されると共に、第１配置部１２に該当製品を配置した際には、製品が第２配置部１４の上部に位置し、第２配置部１４に該当製品を配置した際には、製品が第１配置部１２の前部に位置することとなる配置関係を有する什器１０であって、第１配置部１２の上部と、第２配置部１４の前部に、それぞれ掲示部１８，２０を備える。【選択図】図１
0003219698.tif 000002
【実用新案登録請求の範囲】
【請求項１】
車両用アクセサリー展示用の什器であって、
壁面、あるいは棚面から突出する吊り下げ具に係合可能な吊掛け部と、
少なくとも、エアコン噴出し部取り付け用製品を配置する第１配置部と、
カップホルダー配置用製品を配置する第２配置部と、を備え、
前記第１配置部と前記第２配置部とは、上下方向に配置されると共に、前記第１配置部に該当製品を配置した際には、前記製品が前記第２配置部の上部に位置し、前記第２配置部に該当製品を配置した際には、前記製品が前記第１配置部の前部に位置することとなる配置関係を有することを特徴とする展示用什器。
【請求項２】
前記第１配置部の上部と、前記第２配置部の前部の少なくとも一方に、配置製品に関する情報を表示可能な掲示部を備えたことを特徴とする請求項１に記載の展示用什器。
【請求項３】
前記吊掛け部は、前記第１配置部の背面側に備えられていることを特徴とする請求項１または２に記載の展示用什器。
【請求項４】
前記吊掛け部には、什器の上方に開口した逃げ溝が備えられていることを特徴とする請求項１乃至３のいずれか１項に記載の展示用什器。
【請求項５】
背面側を空洞とし、かつ上部から下部にかけて幅広となるように構成されていることを特徴とする請求項１乃至４のいずれか１項に記載の展示用什器。
【考案の詳細な説明】
【技術分野】
【０００１】
本考案は、什器に係り、特に、車両用アクセサリーを店頭に展示する際に好適な展示用什器に関する。
【背景技術】
【０００２】
従来より、車両用アクセサリーの店頭販売は、汎用の支持台から特許文献１に示されるようなフック部を備えた棒状部材を突出させた吊り下げ具を有する什器が用いられている。棒状の吊り下げ具を製品パッケージに形成された荷掛け孔に挿通させることで、製品を吊り下げ具に吊下させるのである。また、特許文献１には、吊り下げ具の下に、実際の製品を載置可能な支持部を併設する事が開示されている。
【０００３】
また、特許文献２に開示されている什器は、照明用器具を展示するためのものであり、縦方向に段積み展示可能な構成とし、各展示部を引き出し状に構成した専用品である。さらに、特許文献３に開示されているのは、汎用性のある支持台に対して、展示用器具を簡易設置することで構成される什器である。
【先行技術文献】
【特許文献】
【０００４】
【特許文献１】特開２０１０−２３３８８９号公報
【特許文献２】特開２０００−１５７３８８号公報
【特許文献３】特開２００２−３４７４２号公報
【考案の概要】
【考案が解決しようとする課題】
【０００５】
上述したように、什器の形態は、展示製品の大きさや仕様の態様等に応じて多岐にわたる。また、取り付けを前提とした製品を展示するための什器としては基本的に、専用品、かつ大型なものとされるのが一般的である。
【０００６】
しかし、車両用アクセサリーの分野では、店頭展示の際、汎用の支持台に設けられる吊り下げ具の高さ方向のスペースが、約１５０ｍｍから２００ｍｍ程度とされており、それ以上の展示スペースを要した場合、他の製品の展示の妨げとなる場合もある。
【０００７】
よって、本考案では、従来からの展示方式を踏襲しつつ展示物に対する汎用性を持たせ、かつ展示スペースの小型化を図ることのできる展示用什器を提供することを目的とする。
【課題を解決するための手段】
【０００８】
上記目的を達成するための本考案に係る展示用什器は、車両用アクセサリー展示用の什器であって、壁面、あるいは棚面から突出する吊り下げ具に係合可能な吊掛け部と、少なくとも、エアコン噴出し部取り付け用製品を配置する第１配置部と、カップホルダー配置用製品を配置する第２配置部と、を備え、前記第１配置部と前記第２配置部とは、上下方向に配置されると共に、前記第１配置部に該当製品を配置した際には、前記製品が前記第２配置部の上部に位置し、前記第２配置部に該当製品を配置した際には、前記製品が前記第１配置部の前部に位置することとなる配置関係を有することを特徴とする。
【０００９】
また、上記のような特徴を有する展示用什器は、前記第１配置部の上部と、前記第２配置部の前部の少なくとも一方に、配置製品に関する情報を表示可能な掲示部を備えるようにすると良い。このような構成とすることで、製品情報を表示する箇所を別途設ける必要が無くなる。また、複数個所に製品情報を表示することで、一方の表示部における視認性が悪くなった場合でも、他方の表示部により情報の視認性を確保することができる。
【００１０】
また、上記のような特徴を有する展示用什器において前記吊掛け部は、前記第１配置部の背面側に備えるようにすると良い。第１配置部は、第２配置部よりも後方側に位置している。このため、このような構成とすることで、製品を展示棚に埋もれさせることなく、前方に突出させることができる。
【００１１】
また、上記のような特徴を有する展示用什器における前記吊掛け部には、什器の上方に開口した逃げ溝を備えるようにすると良い。このような特徴を有することによれば、吊り下げ具にフック部などが存在する際、什器をフック部の曲がり方向に傾けた状態で吊り下げ具を吊掛け部に挿通させることが可能となる。
【００１２】
さらに、上記のような特徴を有する展示用什器では、背面側を空洞とし、かつ上部から下部にかけて幅広となるように構成することが望ましい。このような特徴を有することによれば、什器を使わない時、複数の什器を積み重ねて保管することができるようになる。
【考案の効果】
【００１３】
上記のような特徴を有する展示用什器によれば、従来からの展示方式を踏襲しつつ展示物に対する汎用性を持たせ、かつ展示スペースの小型化を図ることが可能となる。
【図面の簡単な説明】
【００１４】
【図１】第１実施形態に係る展示用什器の構成を示す正面斜視図である。
【図２】第１実施形態に係る展示用什器の構成を示す背面斜視図である。
【図３】第１実施形態に係る展示用什器の正面構成を表す図である。
【図４】第１実施形態に係る展示用什器における右側面の構成を示す図である。
【図５】第１実施形態に係る展示用什器を吊り下げ具に吊り掛けする様子を示す図である。
【図６】展示用什器を構成する第１配置部に製品を配置した状態の例を示す図である。
【図７】展示用什器を構成する第２配置部に製品を配置した状態の例を示す図である。
【図８】展示用什器不使用時における保管形態を説明するための図である。
【図９】第２実施形態に係る展示用什器の構成を示す正面斜視図である。
【図１０】第３実施形態に係る展示用什器の構成を示す正面斜視図である。
【考案を実施するための形態】
【００１５】
以下、本考案の展示用什器に係る実施の形態について、図面を参照して詳細に説明する。なお、以下に示す実施形態は、本考案を実施する上で好適な態様の一部であり、その構成の一部を変更したとしても、本考案の一部とみなすことができる。まず、図１から図８を参照して、第１実施形態に係る展示用什器について説明する。図面において、図１は、第１実施形態に係る展示用什器の構成を示す正面斜視図であり、図２は、背面斜視図である。また、図３は、実施形態に係る展示用什器の正面構成を表す図であり、図４は、実施形態に係る展示用什器における右側面の構成を示す図である。また、図５は、実施形態に係る展示用什器を吊り下げ具に吊り掛けする様子を示す図である。図６は、第１配置部に製品を配置した状態の例を示す図であり、図７は、第２配置部に製品を配置した状態の例を示す。さらに、図８は、実施形態に係る展示用什器を保管する際の形態を示す図である。
【００１６】
［第１実施形態］
本実施形態に係る展示用什器（以下、単に什器１０と称す）は、車両用アクセサリー（以下、製品とも言う）を店頭展示する際に利用するものであり、少なくとも第１配置部１２と、第２配置部１４、および吊掛け部１６を有する。第１配置部１２は、エアコン噴出し部取り付け用製品（以下、製品Ａと称す）を配置するための要素である。本実施形態では、第１配置部１２は、車両におけるエアコン噴出し部の形状を模した外観を有するように構成されている。すなわち、開口部１２ａと、ルーバー部１２ｂを有する。ルーバー部１２ｂは、水平方向ルーバー１２ｂ１と、垂直方向ルーバー１２ｂ２を備えるようにすると良い。ルーバーの配置方向を垂直方向としている車両もあるからである。
【００１７】
第２配置部１４は、カップホルダー配置用製品（以下、製品Ｂと称す）を配置するための要素である。本実施形態では、第２配置部１４は、車両におけるカップホルダーの形状を模した外観を有するように構成されている。すなわち、カップ受けとなる底板部１４ａと、カップの周囲を保持する側壁部１４ｂを有する。なお、底板部１４ａには、展示中の製品Ｂについて落下や盗難を防ぐために利用することのできる仮止め孔１４ａ１を設けるようにしても良い。
【００１８】
第２配置部１４は、第１配置部１２の下部前方に位置するように備えられている。そして、第１配置部１２と第２配置部１４との鉛直方向の配置間隔は、いずれか一方の配置部に製品を配置した場合には、いずれか他方の配置部を使用することができなくなる程度、すなわち、図６に示すように、第１配置部１２に製品Ａを取り付けた場合には、製品Ａが第２配置部１４の上部に位置し、図７に示すように、第２配置部１４に製品Ｂを配置した場合には、製品Ｂが第１配置部１２の前部に位置することとなる配置関係とすると良い。より具体的には、第１配置部１２の上端から第２配置部１４の下端までが１５０ｍｍから２００ｍｍ程度の範囲に収まる程度とすれば良い。このような配置間隔とすることで、並列配置される他の製品（例えば箱物）と同じ列に収まることとなり、什器１０を用いた製品展示の展示効率を向上させることができる。
【００１９】
また、本実施形態に係る什器１０は、第１配置部１２の上部と、第２配置部１４の前部に、それぞれ掲示部１８，２０を備える構成としている。掲示部１８，２０は、第１配置部１２、または第２配置部１４に配置した製品（製品Ａまたは製品Ｂ）に関する情報を表示するための要素である。掲示部１８，２０としては単に、いわゆるＰＯＰ（Point of purchase）広告を配置するための空きスペースのような受動的な掲示部であっても良いし、液晶表示部等のような能動的な表示部であっても良い。掲示部１８，２０を複数個所とする事で、製品説明の視認性を向上させることができる。また、配置する製品の形態や大きさによっては、第１配置部１２の上部に位置する掲示部１８が隠れてしまう場合があるが、第２配置部１４の前面に位置する掲示部２０により、製品説明の視認性を確保することができる。
【００２０】
吊掛け部１６は、汎用の支持台としての壁面や棚面から突出する吊り下げ具３０（例えばフック部を有するものなど）に対する係合を可能とする部位であり、実施形態に係る什器１０を吊り下げ支持するための要素である。本実施形態では、什器１０の背面上部側、具体的には、掲示部１８の背面側に位置するように備えられている。
【００２１】
実施形態に係る什器１０は、掲示部１８、第１配置部１２、第２配置部１４、掲示部２０という順で、段階的に前方に張り出すような構成とされている。このため、最背部かつ最上部に位置する掲示部１８の背面に吊掛け部１６を設けることで、什器１０を吊り下げ具３０に係合させた状態を安定させることができる。
【００２２】
吊掛け部１６は、通し孔１６ａと、支持部１６ｂとを基本として構成されている。通し孔１６ａは、棒状の吊り下げ具３０を貫通させる要素であり、係合状態においては、通し孔１６ａの上半部が、吊り下げ具３０の上部に接することとなる。支持部１６ｂは、通し孔１６ａよりも吊り下げ具３０の基端側に位置し、吊り下げ具３０の下半側を支持する役割を担う要素である。通し孔１６ａと支持部１６ｂにより、上部と下部を支持することで、棒状の吊り下げ具３０による支持を安定させることができる。なお、実施形態に係る什器１０では、吊掛け部１６を２つ以上、水平に並列配置することで、２本以上の吊り下げ具３０により什器１０を支持する構成としている。このような構成とすることで、吊り下げ具３０を起点として什器１０が傾く事がなくなるからである。
【００２３】
また、実施形態に係る吊掛け部１６は、逃げ溝１６ｃを備えている。逃げ溝１６ｃは、通し孔１６ａと支持部１６ｂの上部に位置するように設けられたスリットである。吊掛け部１６に逃げ溝１６ｃを備えることにより、吊り下げ具３０にフック部３２がある場合でも、什器１０の取り付けを簡単化することができる。
【００２４】
具体的には図５に示すように、吊り下げ具３０に対して什器１０を近接させ（図５（Ａ））、什器１０を傾斜させることで吊り下げ具３０のフック部３２を吊掛け部１６に挿通させることが容易となる。この時、図５（Ｂ）に示すように、什器１０を傾斜させた状態で吊り下げ具３０を挿通させる。そして、フック部３２が通し孔１６ａを抜けた後、什器１０の傾斜を解除することで、吊り下げ具３０は、その上半部の一部が通し孔１６ａに当接し、下半部が支持部１６ｂに当接することとなる。これにより、抜け止め、および吊り下げ状態での安定化を図ることができる。
【００２５】
また、実施形態に係る什器１０は、側面視形態を階段状とした上で、背面を空洞とすることで、その重量を軽くしている。さらに、正面視形態については、上部から下部にかけてその幅が広くなるように緩やかな傾斜を付する形態としている。このため、図８（Ａ）に示すように複数（図に示す什器１０は２つ）の什器１０を図８（Ｂ）に示すように重ね合わせることを可能としている。このため、不使用時における保管スペースを削減することも可能となる。
【００２６】
［効果］
上記のような構成の什器１０は、製品の展示について汎用性を持たせることができる。また、２つの配置部を縦方向に並べ、かつその配置間隔を他の製品展示スペースと合わせる構成としているため、従来の専用什器を用いる製品展示に比べ、展示スペースの小型化を図ることができ、より多くの製品を展示することが可能となる。
【００２７】
また、什器１０に直接掲示部１８，２０を設けた事により、製品説明用のスペースを他に設ける必要がなくなる。
【００２８】
［第２実施形態］
次に、本考案の展示用什器に係る第２実施形態について、図９を参照して説明する。本実施形態に係る什器１０Ａは、その殆どの構成を第１実施形態に係る什器１０と同様としている。よって、その構成を同一とする箇所については、図面に同一符号を付して、詳細な説明は省略することとする。
【００２９】
本実施形態に係る什器１０Ａは、第１実施形態に係る什器１０と異なり、掲示部を備えていない。このような構成の什器１０Ａは、第１実施形態に係る什器１０と比べ、よりコンパクトなものとすることができる。このような形態の什器１０Ａであっても、本考案の一部とみなすことができる。
【００３０】
［第３実施形態］
次に、本考案の展示用什器に係る第３実施形態について、図１０を参照して説明する。本実施形態に係る什器１０Ｂは、その殆どの構成を第１実施形態に係る什器１０と同様としている。よって、その構成を同一とする箇所については、図面に同一符号を付して、詳細な説明は省略することとする。
【００３１】
本実施形態に係る什器１０Ｂは、第１実施形態に係る什器１０と異なり、第１配置部１２の上部に位置していた掲示部を廃している。また、第１実施形態に係る什器１０では、第２配置部１４の前部に位置していた掲示部２０を、第２配置部１４の側部へ配置する構成としている。
【００３２】
このような構成の什器１０Ｂは、第１実施形態に係る什器１０と比べ、よりコンパクトなものとすることができる。また、掲示部２０を側部に配置した事により、第２配置部１４に配置した製品をより見やすくすることができる。さらに、掲示部２０を第２配置部１４の側部に配置する事で、什器１０Ｂの正面に立つこと無く、製品を陳列する棚等の配置された通路に入るだけで、掲示部２０が視認可能となる。このような形態の什器１０Ｂであっても、本考案の一部とみなすことができる。
【符号の説明】
【００３３】
１０，１０Ａ，１０Ｂ………什器、１２………第１配置部、１２ａ………開口部、１２ｂ………ルーバー部、１２ｂ１………水平方向ルーバー、１２ｂ２………垂直方向ルーバー、１４………第２配置部、１４ａ………底板部、１４ａ１………仮止め孔、１４ｂ………側壁部、１６………吊掛け部、１６ａ………通し孔、１６ｂ………支持部、１６ｃ………逃げ溝、１８，２０………掲示部、３０………吊り下げ具、３２………フック部。
【図１】
0003219698.tif 000003
【図２】
0003219698.tif 000004
【図３】
0003219698.tif 000005
【図４】
0003219698.tif 000006
【図５】
0003219698.tif 000007
【図６】
0003219698.tif 000008
【図７】
0003219698.tif 000009
【図８】
0003219698.tif 000010
【図９】
0003219698.tif 000011
【図１０】
0003219698.tif 000012